(57)【要約】  ＰＭ２．５の検出装置であって、従来の光散乱センサーがウェットな空気においてＰＭ２．５の検出を行う場合に、空気における水玉が２．５μｍより小さい際に、光散乱センサーの誤判定を招来するので、検出の精度が低くなるという技術問題を解決する。当該ＰＭ２．５の検出装置は、ハウジング（１）と、光散乱センサー（２）と、電気加熱手段とを含み、光散乱センサー（２）はハウジング（１）の内部に設けられ、吸気口（２１）を備え、ハウジングの吸気口と光散乱センサー（２）の吸気口（２１）の間には電気加熱手段が設けられる。
2019523890.tif 000002
【特許請求の範囲】
【請求項１】
ハウジングと、光散乱センサーと、電気加熱手段とを含み、前記光散乱センサーは前記ハウジングの内部に設けられ、吸気口を備え、前記ハウジングの吸気口と前記光散乱センサーの吸気口の間には前記電気加熱手段が設けられることを特徴とするＰＭ２．５の検出装置。
【請求項２】
前記ハウジングの内部には、前記光散乱センサーが取り付けられる台座を有し、前記台座は、前記光散乱センサーの吸気口に対応する通気穴を有することを特徴とする請求項１に記載のＰＭ２．５の検出装置。
【請求項３】
前記電気加熱手段は前記台座の通気穴に設けられることを特徴とする請求項２に記載のＰＭ２．５の検出装置。
【請求項４】
前記電気加熱手段の面積は前記台座の通気穴の以上であることを特徴とする請求項３に記載のＰＭ２．５の検出装置。
【請求項５】
前記電気加熱手段はPTCヒーターであることを特徴とする請求項１〜請求項４のいずれかの一項に記載のＰＭ２．５の検出装置。
【請求項６】
前記PTCヒーターには、穴径が２．５μｍ以上である若干の穴が開けられることを特徴とする請求項５に記載のＰＭ２．５の検出装置。
【請求項７】
前記ハウジングの底部には、周囲に若干の吸気穴を有するベース板を備えることを特徴とする請求項１に記載のＰＭ２．５の検出装置。
【請求項８】
前記ハウジングの内には、メイン回路基板、及びハウジングの頂部に設けられる表示パネルを有しており、前記メイン回路基板が前記光散乱センサー及び前記表示パネルに電気的に接続されることを特徴とする請求項１に記載のＰＭ２．５の検出装置。
【請求項９】
ハウジングに内臓される電池をさらに含むことを特徴とする請求項１に記載のＰＭ２．５の検出装置。
【請求項１０】
前記ハウジングの内部の係合溝に挿抜可能に接続され、前記光散乱センサー、前記電気加熱手段及び前記電池に電気的に接続されるサブ回路基板をさらに含むことを特徴とする請求項９に記載のＰＭ２．５の検出装置。
【発明の詳細な説明】
【技術分野】
【０００１】
本発明は空気品質の検出の技術分野に関し、特に、ＰＭ２．５の検出装置に関している。
【０００２】
本願は、２０１６年０７月０６日に中国特許庁に提出された、出願番号が２０１６１０５３２１８５.Ｘであり、発明の名称が「ＰＭ２．５の検出装置」である中国出願を優先権とすることを主張する。その全ての内容は援用されることによって、本願に結合されている。
【背景技術】
【０００３】
ＰＭ２．５空気品質の検出とは、空気におけるＰＭ２．５(肺に入り込む粒子状物質)の値に対する測定に専用することを指す。公共場所の環境、大気の環境及び室内空気に対する測定に適用するだけではなく、さらに空気清浄機による浄化効率への評価分析に用いられる。
【０００４】
従来のＰＭ２．５空気品質の検出方法は、一般的には、ＰＭ２．５センサーにより検出を行って、前記ＰＭ２．５センサーは光散乱に基づくものであり、光の散乱原理に応じて開発され、微粒子と分子が光に照射される際に、光の散乱現象を発生させ、その同時に、一部の照射光のエネルギーを吸収する。１束の平行単色光が被測粒子場に入射される場合に、粒子の周囲の散乱及び吸収に影響され、光強度が減衰される。これによって、入射光がテスト待ちの濃度場を通過する場合の相対減衰率を求める。一方、相対減衰率の大きさは基本的に、テスト待ち場の塵埃の相対濃度を線形に反応できる。光強度の大きさは光電変換された電気信号の強さに正比例し、電気信号を測定することで、相対減衰率を求め、さらにテスト待ち場の塵埃の濃度を測定できる。
【０００５】
従来には、主な光放熱センサーによるＰＭ２．５センサーは、赤外線原理の粉塵センサーとレーザセンサーを含む。
【０００６】
赤外線原理の粉塵センサーの構造と回路は比較的に簡単である。その光源は赤外線LED光源であり、気流入出口は主に、抵抗により発熱することで、熱気流の流動を実現させ、粒子が通過すれば、ハイレベルを出力する。
【０００７】
レーザセンサーの構造と回路は相対的に複雑である。その光源はレーザダイオードである。サンプリング空気はファンまたは送風機により推進され、設計が複雑であるダクトを通過し、検出される。空気における微粒子はレーザービームが存在する領域に入ると、レーザを散乱させ、散乱光が空間の３６０°に輻射され、適当な位置に光電検出器を置き、散乱光のみを受信させ、そして、光電検出器の光電効果により電流信号を発生させ、回路により拡大され、処理された後に、微粒子の濃度値を取得できる。
【発明の概要】
【発明が解決しようとする課題】
【０００８】
ただし、前記光散乱センサーはウェットな空気においてＰＭ２．５の検出を行う場合に、空気における水玉が２．５μｍより小さい際に、光散乱センサーの誤判定を招来するので、検出の精度が低くなるという技術問題につながる。
【課題を解決するための手段】
【０００９】
本発明の実施例はＰＭ２．５の検出装置を提供することで、従来の光散乱センサーがウェットな空気においてＰＭ２．５の検出を行う場合に、空気における水玉が２．５μｍより小さい際に、光散乱センサーの誤判定を招来するので、検出の精度が低くなるという技術問題を解決する。
【００１０】
本発明の実施例に提供されるＰＭ２．５の検出装置であって、
ハウジングと、光散乱センサーと、電気加熱手段とを含み、
前記光散乱センサーは前記ハウジングの内部に設けられ、吸気口を備え、
前記ハウジングの吸気口と前記光散乱センサーの吸気口の間には、前記電気加熱手段が設けられる。
【００１１】
好ましくは、前記ハウジングの内部には、前記光散乱センサーが取り付けられる台座を有し、前記台座は、前記光散乱センサーの吸気口に対応する通気穴を有する。
【００１２】
好ましくは、前記電気加熱手段は前記台座の通気穴に設けられる。
【００１３】
好ましくは、前記電気加熱手段の面積は前記台座の通気穴の以上である。
【００１４】
好ましくは、前記電気加熱手段はPTCヒーターである。
【００１５】
好ましくは、前記PTCヒーターには、穴径が２．５μｍ以上である若干の穴が開けられる。
【００１６】
好ましくは、前記ハウジングの底部には、周囲に若干の吸気穴を有するベース板を備える。
【００１７】
好ましくは、前記ハウジングの内には、メイン回路基板、及びハウジングの頂部に設けられる表示パネルを有しており、前記メイン回路基板が前記光散乱センサー及び前記表示パネルに電気的に接続される。
【００１８】
好ましくは、前記ＰＭ２．５の検出装置は、ハウジングに内臓される電池をさらに含む。
【００１９】
好ましくは、前記ＰＭ２．５の検出の装置は、前記ハウジングの内部の係合溝に挿抜可能に接続され、前記光散乱センサー、前記電気加熱手段及び前記電池に電気的に接続されるサブ回路基板をさらに含む。
【発明の効果】
【００２０】
以上の技術案から分かるように、本発明の実施例は以下の利点を備え、即ち、本発明の実施例は、ハウジングと、光散乱センサーと、電気加熱手段とを含むＰＭ２．５の検出装置を提供し、光散乱センサーは、ハウジング内部に設けられ、吸気口を備え、ハウジングの吸気口と光散乱センサーの吸気口の間には電気加熱手段が設けられる。本実施例において、ハウジングの吸気口と光散乱センサーの吸気口の間には電気加熱手段が設けられることで、ウェットな空気が光散乱センサーに入る前に、電気加熱手段により加熱され、ウェットな空気における水分の一部または全部を蒸発させることを実現し、従来の光散乱センサーがウェットな空気においてＰＭ２．５の検出を行う場合に、空気における水玉が２．５μｍより小さい際に、光散乱センサーの誤判定を招来するので、検出の精度が低くなるという技術問題を解決する。
【００２１】
本発明の実施例または従来技術における技術案をより明らかに説明するために、以下は、実施例または従来技術の説明に必要な図面を簡単に紹介し、明らかに、以下の説明において、図面は本発明のいくつかの実施例のみであり、当業者にとって、創造的な労働を費やす必要がない場合に、これらの図面に応じて、他の図面を取得できる。
【図面の簡単な説明】
【００２２】
【図１】本発明の実施例に提供される、ＰＭ２．５の検出装置の一つの実施例の構造の模式図である。
【発明を実施するための形態】
【００２３】
本発明の実施例に提供されるＰＭ２．５の検出装置は、従来の光散乱センサーがウェットな空気においてＰＭ２．５の検出を行う場合に、空気における水玉が２．５μｍより小さい際に、光散乱センサーの誤判定を招来するので、検出の精度が低くなるという技術問題を解決する。
【００２４】
本発明の発明目的、特徴、利点がより明瞭かつ分かりやすくなるために、以下は、本発明の実施例における図面を結合し、本発明の実施例における技術案に対して、明らかで、完全な説明を行って、明らかに、以下に説明される実施例は全ての実施例ではなく、本発明の一部の実施例のみである。本発明における実施例に基づき、当業者が創造的な労働を費やせず取得した他の全ての実施例は、いずれも本発明の保護を請求する範囲に入るべきである。
【００２５】
図１を参照し、本発明の実施例に提供されるＰＭ２．５の検出装置の一つの実施例は、ハウジング１と、光散乱センサー２と、電気加熱手段とを含み、光散乱センサー２はハウジング１の内部に設けられ、吸気口２１を備え、ハウジングの吸気口と光散乱センサー２の吸気口２１の間には電気加熱手段が設けられる。
【００２６】
さらに、ハウジングの内部は、光散乱センサーが取り付けられる台座１２を有し、台座１２は、光散乱センサーの吸気口２１に対応する通気穴１１を有する。
【００２７】
さらに、電気加熱手段は台座１２の通気穴１１に設けられる。
【００２８】
さらに、電気加熱手段の面積は台座１２の通気穴１１の以上である。
【００２９】
さらに、電気加熱手段はPTCヒーター３である。
【００３０】
さらに、PTCヒーター３には穴径が２．５μｍ以上である若干の穴が開けられる。
【００３１】
さらに、ハウジング１の底部は、周囲に若干の吸気穴１３１を有するベース板１３を備える。
【００３２】
さらに、ハウジング１の内には、メイン回路基板4、及びハウジング１の頂部に設けられる表示パネル８を有しており、メイン回路基板4が光散乱センサー２及び表示パネル８に電気的に接続される。
【００３３】
さらに、ＰＭ２．５の検出装置はさらに、ハウジング１に内臓される電池６を含む。
【００３４】
さらに、ＰＭ２．５の検出装置は、ハウジング１の内部の係合溝に挿抜可能に接続され、光散乱センサー２、電気加熱手段及び電池６に電気的に接続されるサブ回路基板５を含む。
【００３５】
本実施例におけるＰＭ２．５の検出装置はさらに、リチウム電池６を含み、メイン回路基板4とタッチ表示パネル８の間には上蓋7が設けられ、ベース板１３の底部には電源ソケットが設けられ、台座１２とベース板１３はネジにより固定し接続され、台座１２はハウジング１のアルミケースに係合される。
【００３６】
理解できるのは、光散乱センサー２の内部のファンが回動することで、外部からの空気をベース板１３の底部の周囲に設けられる吸気穴１３１から吸入し、ハウジングの通気穴１１の外縁に嵌め込まれるPTCヒーター３の若干の穴を通過させる場合に、PTCヒーター３の熱量により、外部からの空気に含まれる水蒸気を加熱し蒸発させ、光散乱センサー２は加熱され、水蒸気が蒸発された後の空気を取得し、測定を行う。
【００３７】
本発明の実施例に提供されるＰＭ２．５の検出装置は、ハウジング１と、光散乱センサー２と、電気加熱手段とを含み、光散乱センサー２はハウジング１の内部に設けられ、吸気口２１を備え、ハウジングの吸気口と光散乱センサー２の吸気口２１の間には電気加熱手段が設けられる。本実施例において、ハウジングの吸気口と光散乱センサー２の吸気口２１の間には電気加熱手段が設けられることで、ウェットな空気が光散乱センサーに入る前に、電気加熱手段により加熱され、ウェットな空気における水分の一部または全部を蒸発させることを実現し、従来の光散乱センサーがウェットな空気においてＰＭ２．５の検出を行う場合に、空気における水玉が２．５μｍより小さい際に、光散乱センサーの誤判定を招来するので、検出の精度が低くなるという技術問題を解決する。
【００３８】
前記のように、以上の実施例は、本発明の技術案への限定ではなく、それを説明するためのものであり、前記実施例を参照し本発明を詳しく説明しているが、当業者にとって、理解すべきのは、相変わらず前記各々実施例に記載の技術案を補正し、または一部の技術特徴に対して、同等の差し替えを行うことができ、これらの補正または差し替えは、相応な技術案の本質を本発明の各々実施例の技術案の精神及び範囲から逸脱させない。
【図１】
2019523890.tif 000003
【国際調査報告】
2019523890.tif 000004
2019523890.tif 000005
2019523890.tif 000006
2019523890.tif 000007
2019523890.tif 000008
2019523890.tif 000009